(57)【要約】　　　（修正有）【課題】カートリッジホルダを充填位置に移動し、ポップアップ状態になったときに埃や塵等が対物レンズに付着するのを効果的に防止又は抑制することができるようにする。【解決手段】防塵ケース４４には、光ディスクに対する情報の記録及び再生を行う光ピックアップ５１の光学ヘッド５１ａが係合され且つ光学ヘッド５１ａの少なくとも対物レンズ５０が突出される第１の開口部６３と、記録再生位置に保持された光ディスクのシャーシ４１への投影面の外側においてカートリッジホルダ側に膨出する膨出部６０とを設け、膨出部６０の側面部には第１の開口部６３に連続される第２の開口部６４を設け、第２の開口部６４を介して移動させて膨出部６０内に光学ヘッド５１ａを収納可能とした。また、レンズクリーニング用のブラシが設置される。【選択図】　　　　図５
2004030802.tif 000002
【特許請求の範囲】
【請求項１】
ディスク状記録媒体が収納されたディスクカートリッジが着脱自在に装着されるカートリッジホルダを有し、当該カートリッジホルダを装着位置と記録及び／又は再生位置とに選択的に移動させる記録媒体移動機構と、
上記記録媒体移動機構を支持するシャーシと、
上記シャーシを少なくとも覆う防塵ケースと、
を備えたディスク状記録媒体記録及び／又は再生装置において、
上記防塵ケースには、上記ディスク状記録媒体に対する情報の記録及び／又は再生を行う光ピックアップの光学ヘッドが係合され且つ当該光学ヘッドの少なくとも対物レンズが突出される第１の開口部と、上記記録及び／又は再生位置に保持された上記ディスク状記録媒体の上記シャーシへの投影面の外側において上記カートリッジホルダ側に膨出する膨出部とを設け、当該膨出部の側面部には上記第１の開口部に連続される第２の開口部を設け、当該第２の開口部を介して移動させて上記膨出部内に上記光学ヘッドを収納可能としたことを特徴とするディスク状記録媒体記録及び／又は再生装置。
【請求項２】
上記第１の開口部及び上記第２の開口部にはシャッタを開閉自在に設けたことを特徴とする請求項１記載のディスク状記録媒体記録及び／又は再生装置。
【請求項３】
上記シャッタは、上記光学ヘッドの移動位置により開閉させることを特徴とする請求項２記載のディスク状記録媒体記録及び／又は再生装置。
【請求項４】
上記シャッタは、上記光学ヘッドの位置に連動して開閉させることを特徴とする請求項２記載のディスク状記録媒体記録及び／又は再生装置。
【請求項５】
上記光学ヘッドの位置を検出する第１の検出手段と、上記シャッタを駆動する第１の駆動手段とを設け、上記第１の検出手段の検出結果に基づき上記第１の駆動手段を駆動して上記シャッタを開閉させることを特徴とする請求項４記載のディスク状記録媒体記録及び／又は再生装置。
【請求項６】
上記シャッタは、上記カートリッジホルダの移動位置により開閉させることを特徴とする請求項２記載のディスク状記録媒体記録及び／又は再生装置。
【請求項７】
上記シャッタは、上記カートリッジホルダの位置に連動して開閉させることを特徴とする請求項２記載のディスク状記録媒体記録及び／又は再生装置。
【請求項８】
上記カートリッジホルダの位置を検出する第２の検出手段と、上記シャッタを駆動する第２の駆動手段とを設け、上記第２の検出手段の検出結果に基づき上記第２の駆動手段を駆動して上記シャッタを開閉させることを特徴とする請求項７記載のディスク状記録媒体記録及び／又は再生装置。
【請求項９】
上記投影面の外側において上記対物レンズをクリーニングするクリーニング手段を設けたことを特徴とする請求項１記載のディスク状記録媒体記録及び／又は再生装置。
【請求項１０】
上記クリーニング手段は、上記光学ヘッドが上記投影面の内側から外側の所定位置に移動する際に、上記対物レンズに接触して表面をクリーニングするブラシを有することを特徴とする請求項９記載のディスク状記録媒体記録及び／又は再生装置。
【請求項１１】
上記クリーニング手段は、上記光学ヘッドが上記投影面の外側の所定位置にあるときに、上記対物レンズの上方に配置されたブラシと、上記光学ヘッドを上昇させて上記ブラシに当該対物レンズを接触させて表面をクリーニングする昇降動作機構とを有することを特徴とする請求項９記載のディスク状記録媒体記録及び／又は再生装置。
【請求項１２】
上記クリーニング手段は、上記光学ヘッドが上記投影面の外側の所定位置にあるときに、上記対物レンズの上方に配置されたブラシと、上記光学ヘッドを上昇させると共に横移動させて上記ブラシに当該対物レンズを接触させて表面をクリーニングする往復動作機構とを有することを特徴とする請求項９記載のディスク状記録媒体記録及び／又は再生装置。
【発明の詳細な説明】
【０００１】
【発明の属する技術分野】
本発明は、ディスク状記録媒体を有するディスクカートリッジが装着されるカートリッジホルダを装填位置と記録及び／又は再生位置との間に選択的に移動させる記録媒体移動機構を備えたビデオカメラレコーダー等のディスク状記録媒体記録及び／又は再生装置に関し、特に、カートリッジホルダを装填位置に移動したときに光ピックアップの光学ヘッドを所定位置まで退避させて対物レンズへの埃や塵等の付着を防止するようにしたディスク状記録媒体記録及び／又は再生装置に関するものである。
【０００２】
【従来の技術】
従来の、この種のディスク状記録媒体記録及び／又は再生装置においては、カートリッジホルダを装填位置に移動したとき（いわゆるポップアップ状態）には、シャーシ全体が外気に開放された状態となるため、大気中の埃やゴミ等がシャーシ内に侵入し易い状態となっていた。そのため、シャーシ内に侵入した埃やゴミ等が、シャーシに支持されている光学ヘッドの対物レンズに付着し易い状態となっていた。
【０００３】
この対物レンズに埃やゴミ等が付着すると、この埃やゴミ等によって光ピックアップにおける光ビームの進行が妨害され、光ディスクの情報記録面に対する信号の読出しや書込みができなくなるという問題が生ずる。特に、近年の高記録密度の光情報記録再生装置においては、従来の赤色レーザに変わる青色レーザや青紫色レーザの使用により記録密度が飛躍的に増大されているが、その反面、光ディスクや対物レンズ等に埃や塵等が付着した場合の影響が大きなものとなってきた。また、高密度記録を行うためには、対物レンズを光ディスクの情報記録面に対してより一層近付ける必要がある。
【０００４】
このような従来のディスク状記録媒体記録及び／又は再生装置としては、例えば、特開平３−２５６２３３号公報に記載されている光記録再生装置がある。この光記録再生装置は、ディスクの径方向に移動自在に配設されて光源からの光ビームをディスクの信号面上に集束させる対物レンズを有する光学ピックアップと、この光学ピックアップをディスク領域外の所定位置までディスクの径方向に移動させる駆動手段と、光学ピックアップが所定位置に移動した時に少なくとも対物レンズを被う防塵手段とを備えたことを特徴としている。
【０００５】
この第１の従来例に係る光記録再生装置によれば、未使用時に光学ピックアップを駆動手段によりディスク領域外の所定位置まで移動させ、光学ピックアップの少なくとも対物レンズを防塵手段で被うようにしたので、対物レンズの塵、埃等の付着、汚れを防止することができる、という効果を期待することができる。
【０００６】
また、従来のディスク状記録媒体記録及び／又は再生装置の他の例としては、例えば、特開平５−２７４７３５号公報に記載されている光磁気ディスク装置もある。この光磁気ディスク装置は、光磁気ディスクの一方の面側に配置され、開口部を通して光磁気ディスク表面に選択的に近接する少なくとも界磁コイルを有するスライダと、光磁気ディスクの他方の面側に配置された対物レンズを有する光ピックアップとを具える光磁気ディスク装置において、開口部を選択的に閉塞するシャッタと、スライダの光磁気ディスク側表面に選択的に接触するクリーニング部材とを有する防塵機構を設け、スライダを光磁気ディスク表面に近接させないときに、シャッタにより開口部を閉塞すると共に、スライダの光磁気ディスク側表面にクリーニング部材を接触させるように構成した、ことを特徴としている。
【０００７】
この第２の従来例に係る光磁気ディスク装置によれば、防塵用の新たな機構を設けることなく、簡単かつ安価な構成で、スライダおよび光ピックアップの対物レンズ等への埃等の付着を防止することができる、という効果を期待することができる。
【０００８】
【発明が解決しようとする課題】
しかしながら、上述したような従来の装置において、第１の従来例の場合には、ディスク領域外に対物レンズの防塵手段を設け、この防塵手段の内側まで光学ピックアップを移動させ、防塵手段のカバーで対物レンズを被う構造となっていた。そのため、防塵手段として、シャーシに取り付けられる取付ベースと、この取付ベースの両側部間に掛け渡された支軸によって回動自在に支持されるカバーと、このカバーが常に略水平状態を保つように付勢する捩りコイルバネとが必要とされている。その結果、防塵手段の構造が複雑なものとなっており、部品点数の増加によるコストアップばかりでなく、組立作業が煩雑で作業性が悪いという不十分な点があった。
【０００９】
また、上述した第２の従来例の場合には、シャッタとクリーニング部材とを有する防塵機構を設け、スライダを光磁気ディスク表面に近接させないときにシャッタで開口部を閉塞すると共に、このスライダの光磁気ディスク側表面にクリーニング部材を接触させる構造となっていた。そのため、第１の従来例と同様に、防塵機構が複雑なものとなっており、部品点数の増加によるコストアップばかりでなく、組立作業が煩雑で作業性が悪いという課題があった。
【００１０】
本発明は、このような従来の課題に鑑みてなされたものであり、光ピックアップの防塵のために特別な部品を必要とすることがなく、構造が簡単であって光学ヘッドを確実に収納することができ、埃や塵等が対物レンズに付着するのを効果的に防止又は抑制することができるディスク状記録媒体記録及び／又は再生装置を提供することを目的としている。
【００１１】
【課題を解決するための手段】
上述したような課題等を解決し、上記目的を達成するために、本出願の請求項１記載のディスク状記録媒体記録及び／又は再生装置は、ディスク状記録媒体が収納されたディスクカートリッジが着脱自在に装着されるカートリッジホルダを有し、カートリッジホルダを装着位置と記録及び／又は再生位置とに選択的に移動させる記録媒体移動機構と、記録媒体移動機構を支持するシャーシと、シャーシを少なくとも覆う防塵ケースと、を備えたディスク状記録媒体記録及び／又は再生装置において、防塵ケースには、ディスク状記録媒体に対する情報の記録及び／又は再生を行う光ピックアップの光学ヘッドが係合され且つ光学ヘッドの少なくとも対物レンズが突出される第１の開口部と、記録及び／又は再生位置に保持されたディスク状記録媒体のシャーシへの投影面の外側においてカートリッジホルダ側に膨出する膨出部とを設け、膨出部の側面部には第１の開口部に連続される第２の開口部を設け、第２の開口部を介して移動させて膨出部内に光学ヘッドを収納可能としたことを特徴としている。
【００１２】
本出願の請求項２記載のディスク状記録媒体記録及び／又は再生装置は、第１の開口部及び第２の開口部にはシャッタを開閉自在に設けたことを特徴としている。
【００１３】
本出願の請求項３記載のディスク状記録媒体記録及び／又は再生装置は、シャッタは、光学ヘッドの移動位置により開閉させることを特徴としている。
【００１４】
本出願の請求項４記載のディスク状記録媒体記録及び／又は再生装置は、シャッタは、光学ヘッドの位置に連動して開閉させることを特徴としている。
【００１５】
本出願の請求項５記載のディスク状記録媒体記録及び／又は再生装置は、光学ヘッドの位置を検出する第１の検出手段と、シャッタを駆動する第１の駆動手段とを設け、第１の検出手段の検出結果に基づき第１の駆動手段を駆動してシャッタを開閉させることを特徴としている。
【００１６】
本出願の請求項６記載のディスク状記録媒体記録及び／又は再生装置は、シャッタは、カートリッジホルダの移動位置により開閉させることを特徴としている。
【００１７】
本出願の請求項７記載のディスク状記録媒体記録及び／又は再生装置は、シャッタは、カートリッジホルダの位置に連動して開閉させることを特徴としている。
【００１８】
本出願の請求項８記載のディスク状記録媒体記録及び／又は再生装置は、カートリッジホルダの位置を検出する第２の検出手段と、シャッタを駆動する第２の駆動手段とを設け、第２の検出手段の検出結果に基づき第２の駆動手段を駆動してシャッタを開閉させることを特徴としている。
【００１９】
本出願の請求項９記載のディスク状記録媒体記録及び／又は再生装置は、投影面の外側において対物レンズをクリーニングするクリーニング手段を設けたことを特徴としている。
【００２０】
本出願の請求項１０記載のディスク状記録媒体記録及び／又は再生装置は、クリーニング手段は、光学ヘッドが投影面の内側から外側の所定位置に移動する際に、対物レンズに接触して表面をクリーニングするブラシを有することを特徴としている。
【００２１】
本出願の請求項１１記載のディスク状記録媒体記録及び／又は再生装置は、クリーニング手段は、光学ヘッドが投影面の外側の所定位置にあるときに、対物レンズの上方に配置されたブラシと、光学ヘッドを上昇させてブラシに対物レンズを接触させて表面をクリーニングする昇降動作機構とを有することを特徴としている。
【００２２】
本出願の請求項１２記載のディスク状記録媒体記録及び／又は再生装置は、クリーニング手段は、光学ヘッドが投影面の外側の所定位置にあるときに、対物レンズの上方に配置されたブラシと、光学ヘッドを上昇させると共に横移動させてブラシに対物レンズを接触させて表面をクリーニングする往復動作機構とを有することを特徴としている。
【００２３】
上述のように構成したことにより、本出願の請求項１記載のディスク状記録媒体記録及び／又は再生装置では、カートリッジホルダを有する記録媒体移動機構とシャーシと防塵ケースとを備え、防塵ケースには第１の開口部と膨出部とを設け、膨出部には第１の開口部に連続される第２の開口部を設ける構成とすることにより、光ピックアップの防塵のために特別な部品を必要とすることがなく、構造が簡単であって光学ヘッドを確実に収納することができ、埃や塵等が対物レンズに付着するのを効果的に防止又は抑制することができる。
【００２４】
本出願の請求項２記載のディスク状記録媒体記録及び／又は再生装置では、シャッタによって第１及び第２の開口部を自由に開閉することができる。
【００２５】
本出願の請求項３記載のディスク状記録媒体記録及び／又は再生装置では、光学ヘッドの移動位置に応じてシャッタが開閉されるため、光学ヘッドの使用時にはシャッタが開かれて第１及び第２の開口部が開放され、また、光学ヘッドの不使用時にはシャッタが閉じられて第１及び第２の開口部が閉塞される。
【００２６】
本出願の請求項４記載のディスク状記録媒体記録及び／又は再生装置では、光学ヘッドの位置に連動してシャッタが開閉されるため、光学ヘッドを使用位置に移動するとシャッタが開かれて第１及び第２の開口部が開放され、また、光学ヘッドを不使用位置に移動するとシャッタが閉じられて第１及び第２の開口部が閉塞される。
【００２７】
本出願の請求項５記載のディスク状記録媒体記録及び／又は再生装置では、第１の検出手段によって光学ヘッドの位置を検出すると、その検出結果に基づき第１の駆動手段が駆動してシャッタを開閉するため、光学ヘッドの位置に応じて第１及び第２の開口部が開閉される。
【００２８】
本出願の請求項６記載のディスク状記録媒体記録及び／又は再生装置では、カートリッジホルダの移動位置に応じてシャッタが開閉されるため、カートリッジホルダが装着位置にあるときにはシャッタが閉じられて第１及び第２の開口部が閉塞され、また、カートリッジホルダが記録及び／又は再生位置にあるときにはシャッタが開かれて第１及び第２の開口部が開放される。
【００２９】
本出願の請求項７記載のディスク状記録媒体記録及び／又は再生装置では、カートリッジホルダの位置に連動してシャッタが開閉されるため、カートリッジホルダを装着位置に移動するとシャッタが閉じられて第１及び第２の開口部が閉塞され、また、カートリッジホルダを記録及び／又は再生位置に移動するとシャッタが開かれて第１及び第２の開口部が開放される。
【００３０】
本出願の請求項８記載のディスク状記録媒体記録及び／又は再生装置では、第２の検出手段によってカートリッジホルダの位置を検出すると、その検出結果に基づき第２の駆動手段が駆動してシャッタを開閉するため、カートリッジホルダの位置に応じて第１及び第２の開口部が開閉される。
【００３１】
本出願の請求項９記載のディスク状記録媒体記録及び／又は再生装置では、光学ヘッドを投影面の内側から外側の所定位置に移動すると、対物レンズがクリーニング手段に接触して自動的にクリーニングが行われる。
【００３２】
本出願の請求項１０記載のディスク状記録媒体記録及び／又は再生装置では、光学ヘッドを投影面の内側から外側の所定位置に移動する際に、クリーニング用のブラシが対物レンズに接触するため、対物レンズを自動的にクリーニングすることができる。
【００３３】
本出願の請求項１１記載のディスク状記録媒体記録及び／又は再生装置では、光学ヘッドが投影面の外側の所定位置にあるときには、昇降動作機構の作動により光学ヘッドが上昇されて対物レンズがクリーニング用のブラシに接触されるため、対物レンズを自動的にクリーニングすることができる。
【００３４】
本出願の請求項１２記載のディスク状記録媒体記録及び／又は再生装置では、光学ヘッドが投影面の外側の所定位置にあるときには、往復動作機構の作動により光学ヘッドが上昇されると共に横移動されて対物レンズがクリーニング用のブラシに接触されるため、対物レンズを自動的にクリーニングすることができる。
【００３５】
【発明の実施の形態】
以下、本発明の実施の形態を添付図面を参照して説明する。図１乃至図１３は本発明の実施の例を示すものである。即ち、図１は本発明のディスク状記録媒体記録及び／又は再生装置が適用された電子機器の一実施例を示すビデオカメラレコーダーの斜視図、図２Ａ，Ｂは同じくディスク状記録媒体が収納されたディスクカートリッジの一実施例を示す斜視図、図３は図１の要部を分解して示す斜視図、図４は同じくシャーシに防塵カバーを取り付けた状態を示す斜視図、図５Ａ，Ｂは同じく分解斜視図、図６は同じくシャッタの動作を説明するための斜視図、図７は図４の要部を断面した説明図、図８Ａ，Ｂは同じくクリーニング手段の第１の実施例を断面して示す説明図、図９は本発明のディスク状記録媒体記録及び／又は再生装置に係るクリーニング手段の第２の実施例を断面して示す説明図、図１０はシャッタ駆動機構の第２の実施例を示す斜視図、図１１は第２の実施例の斜視図、図１２は同じく分解斜視図、図１３は同じく組立斜視図である。
【００３６】
図１は、本発明のディスク状記録媒体記録及び／又は再生装置が適用された電子機器の一具体例を示すビデオカメラレコーダである。このビデオカメラレコーダ１は、本発明のディスク状記録媒体記録及び／又は再生装置が内蔵されるハウジング２と、このハウジング２の前側に取り付けられたレンズ部３と、ハウジング２の後側に取り付けられたバッテリー電源４等から構成されている。ハウジング２は、略直方体をなす箱型の部材からなり、長手方向を前後方向に向けると共に面積の広い対向する２平面部を側面に設定して用いられている。
【００３７】
このハウジング２の前面において前方に突出するように設けられたレンズ部３は、ハウジング２に固定された円筒状の固定筒３ａと、この固定筒３ａに対して回動自在に支持されたフォーカス用の回動筒３ｂと、固定筒３ａに対して軸方向（前後方向）へ移動可能に支持された進退筒３ｃと、固定筒３ａ及び進退筒３ｃ内に取り付けられた複数のレンズの組み合わせからなるレンズ群３ｄとから構成されている。回動筒３ｂを回動することにより、その回動方向に応じて進退筒３ｃが前進動作又は後退動作を行う。この進退筒３ｃの先端部には、レンズ群３ｄに余分な光が入射されるのを防止するレンズフード５が取り付けられている。
【００３８】
更に、ハウジング２の前部には、ディスク状記録媒体記録再生装置の動作制御を行うための操作ボタン６が設けられた把持部７が取り付けられている。把持部７はレンズ部３の一側に横並びに配置されており、その外側には、ユーザーの手を保持して支えるための保持バンド８が取り付けられている。そして、ハウジング２の下部には、ハウジング２を肩に掛けて支えるための肩掛け部９が設けられている。
【００３９】
ハウジング２の上面には、このビデオカメラレコーダ１を支え持つためのアーチ状をなす取手１０が固定されている。この取手１０の前部には、ビューファインダ１１と、マイクロホン１２とが設けられている。ビューファインダ１１は、前後方向に延在された取手１０と交差するよう横方向の一側に突出されており、その先端の後部にアイカップ１３が取り付けられている。マイクロホン１２は、ビューファインダ１１の反対側において前方へ突出するように取り付けられている。そして、ハウジング２の背面に、バッテリー電源４が着脱自在に取り付けられている。
【００４０】
また、ハウジング２の一方の側面には、ディスクカートリッジ２０が着脱自在に装着されるカートリッジホルダ１５が収納されるホルダ収納部１６が設けられている。ホルダ収納部１６は、平面四角形をなす凹部として形成されており、このホルダ収納部１６が、カートリッジホルダ１５に収納されたディスク状記録媒体に対する記録及び／又は再生位置とされている。このホルダ収納部１６からカートリッジホルダ１５が飛び出した状態におけるその位置が、カートリッジホルダ１５に対してディスクカートリッジ３０を装着したり、取り出すための装着位置とされている。
【００４１】
カートリッジホルダ１５は、ディスクカートリッジ２０が収納されるカートリッジ収納部２１を有する直方体をなす比較的薄い箱型の部材からなり、一方の側面部にカートリッジ収納部２１の開口が設けられている。このカートリッジホルダ１５は、ホルダ収納部１６内に取り付けられた記録媒体移動機構２０により移動可能とされていて、装着位置と記録及び／又は再生位置とを選択的に採ることができるように構成されている。
【００４２】
ディスクカートリッジ２０は、図２Ａ，Ｂに示すような構成を有している。図２Ａはディスクカートリッジ２０の上面側を示す斜視図であり、図２Ｂはディスクカートリッジ２０の下面側を示す斜視図である。このディスクカートリッジ２０は、ディスク状記録媒体の一具体例を示す光ディスクが回転自在に収納されるカートリッジ本体２１と、このカートリッジ本体２１の下面に設けられた開口部２２を開閉させるシャッタ部材２３等を備えて構成されている。
【００４３】
カートリッジ本体２１は、円形の半径方向一側をその直径のまま延長させたような形状を有する箱体からなり、一般的には、上ハーフと下ハーフを重ね合わせて接合することにより構成される。カートリッジ本体２１の下面に形成された開口部２２は、中央部に設けられた円形の中央穴２２ａと、この中央穴２２ａに連続して前後方向に延在された半径方向穴２２ｂとからなっている。この中央穴２２ａと半径方向穴２２ｂとからなる開口部２２の全体がシャッタ部材２３によって開閉される。
【００４４】
シャッタ部材２３は、カートリッジ本体２１の内部において面方向へ移動可能とされている。このシャッタ部材２３を一の位置に移動することにより、図２Ｂに示すように、開口部２２の全体がシャッタ部材２３によって閉じられた状態となる。一方、シャッタ部材２３を他の位置に移動することにより、図示しないが、開口部２２の全体が開かれた状態となる。このシャッタ部材２３の開放時、開口部２２の中央穴２２ａには、ディスク回転装置のターンテーブルが挿入される。また、シャッタ部材２３の開放時、開口部２２の半径方向穴２２ｂには、光ピックアップの光学ヘッドが挿入される。
【００４５】
図２Ｂに示す符号２４は、カートリッジ本体２１に設けられた位置決め穴である。また、図２Ａに示す符号２５は、カートリッジホルダ１５に対するディスクカートリッジ２０の挿入方向を示す指示標識である。この指示標識２５が差し示す方向に半径方向穴２２ｂが延在されている。尚、ディスク状記録媒体としては、情報信号の再生を専用とする再生用光ディスク、情報信号の再生のみならず１度だけの記録が可能な追記型光ディスクや何度でも書換えが可能な書換型光ディスクを適用できることは勿論のこと、光磁気ディスクその他の記録形式のディスク状記憶メディアを適用することができるものである。
【００４６】
図３に示すように、記録媒体移動機構３０は、２組で一対をなすリンク機構３０ａ，３０ｂの組み合わせによって構成されている。１組のリンク機構３０ａ（リンク機構３０ｂも同様である。）は、第１及び第２のリンク部材３１及び３２と固定板３３とを有している。第１及び第２のリンク部材３１及び３２は、互いの一端側の中途部を枢軸３４で回動自在に連結することによって一体的に構成されている。各リンク部材３１，３２の他端側は、カートリッジホルダ１５を深い位置まで収納できるようにそれぞれ若干内側に湾曲されている。そして、各リンク部材３１，３２の他端側の先端部には、各部材が延びる方向に延在された長穴３１ａ，３２ａが設けられている。
【００４７】
第１のリンク部材３１の一端は、カートリッジホルダ１５の側面に設けられた支持ピン３５ａによって回動自在に支持されている。そして、第１のリンク部材３１の他端の長穴３１ａには、固定板３３に設けられたガイドピン３６ｂが摺動可能に係合されている。また、第２のリンク部材３２の一端は、固定板３３に設けられた支持ピン３６ａによって回動自在に支持されている。そして、第２のリンク部材３２の他端の長穴３２ａには、カートリッジホルダ１５の側面に設けられたガイドピン３５ｂが摺動可能に係合されている。固定板３３は短冊状の部材からなり、複数箇所に設けられた挿通孔３７に挿通される図示しない取付ビスにより、ホルダ収納部１６の側面部にネジ止めされる。
【００４８】
このように記録媒体移動機構３０が取り付けられるホルダ収納部１６の内側には、図４及び図５Ａ，Ｂに示すような構成を有するディスク記録媒体記録及び／再生装置の一具体例を示すディスク記録再生装置４０が配設されている。ディスク記録再生装置４０は、図５Ｂに示すように、ディスクカートリッジ２０が装着されるシャーシ４１と、このシャーシ４１上に配設されるディスク回転装置４２及び光ピックアップ装置４３と、このシャーシ４１の上方を覆う防塵カバー４４等を備えて構成されている。
【００４９】
シャーシ４１は、下面に開口された直方体をなす箱型の部材からなり、その上面の略中央部にはディスク回転装置４２が取り付けられている。ディスク回転装置４２は、回転軸の軸心線を上下方向に向けてシャーシ４１の上面に固定されたスピンドルモータ４５と、このスピンドルモータ４５の回転軸に固定されたターンテーブル４６とから構成されている。
【００５０】
スピンドルモータ４５の周囲には、ディスクカートリッジ２０の水平方向の位置決めを行うための２個の位置決め軸４７と、ディスクカートリッジ２０の高さ方向の位置決めを行うための２個の高さ決め軸４８とが上方へ突出するように設けられている。２個の位置決め軸４７と２個の高さ決め軸４８とは略等間隔に配置されており、２個の位置決め軸４７の上端に設けられた突起４７ａにカートリッジ本体２１の２個の位置決め穴２４が嵌合されることにより、ディスクカートリッジ２０の位置決めがなされる。
【００５１】
また、シャーシ４１上のスピンドルモータ４５の一側に光ピックアップ装置４３が配設されている。光ピックアップ装置４３は、対物レンズ５０を有する光学ヘッド５１ａが設けられた光ピックアップ５１と、この光ピックアップ５１をターンテーブル４６に対して接近及び離反させるピックアップ移動機構５２とから構成されている。
【００５２】
光ピックアップ５１は、図示しない二軸アクチュエータが収納されたスライドベース５３を有し、このスライドベース５３の上面略中央部に、対物レンズ５０が露出された光学ヘッド５１ａが設けられている。更に、スライドベース５３の両側部には、それぞれ一対の軸受片５３ａ，５３ｂが設けられている。
【００５３】
一方の一対の軸受片５３ａ，５３ａには送りねじ軸５４が回転自在に挿通され、他方の一対の軸受片５３ｂ，５３ｂにはガイド軸５５が摺動自在に挿通されている。送りねじ軸５４とガイド軸５５とは互いに平行とされていて、それぞれの一端はスピンドルモータ４５の根元部分においてシャーシ４１に固定された第１の軸受部材５６によって回転自在に支持されている。更に、送りねじ軸５４及びガイド軸５５の他端部は、第１の軸受部材５６との間に所定の間隔をあけてシャーシ４１に固定された第２の軸受部材５７によって回転自在に支持されている。そして、送りねじ軸５４の他端部は第２の軸受部材５７を貫通して他側に突出されている。
【００５４】
送りねじ軸５４はスレッドモータ５８の回転軸とされていて、スレッドモータ５８がシャーシ４１上に固定されている。このスレッドモータ５８を回転駆動することにより、その回転軸の回転を介してその回転方向に応じて、光ピックアップ５１がターンテーブル４６に近づく方向と、ターンテーブル４６から離れる方向とに選択的に移動される。
【００５５】
防塵カバー４４は、下面に開口された直方体をなす箱型の部材からなり、その長手方向一側の上部には、所定範囲を幅方向の全体に渡って膨出させた膨出部６０が設けられている。この防塵カバー４４の上面部には、シャーシ４１に設けられたターンテーブル４６に対応する貫通穴６１と、同じく２個の位置決め軸４７に対応する２個の挿通孔６２ａと、同じく２個の高さ決め軸４８に対応する２個の挿通孔６２ｂとが、それぞれ上下方向に貫通するように設けられている。
【００５６】
従って、図４に示すように、防塵カバー４４をシャーシ４１に被せた状態において、貫通穴６１及び挿通孔６２ａ，６２ｂには、それぞれに対応するターンテーブル４６、位置決め軸４７及び高さ決め軸４８がそれぞれ嵌合される。そして、ターンテーブル４６、位置決め軸４７及び高さ決め軸４８の各先端部が、貫通穴６１及び挿通孔６２ａ，６２ｂからそれぞれ上方へ突出されている。
【００５７】
更に、貫通穴６１の一側には、長手方向に延在された第１の開口部６３が設けられている。この第１の開口部６３は膨出部６０に到達されていると共に、当該膨出部６０の側面部には、第１の開口部６３に連続される第２の開口部６４が設けられている。これら第１及び第２の開口部６３，６４は光ピックアップ５１の光学ヘッド５１ａに対応されており、第２の開口部６４は、第１の開口部６３を貫通して先端部が防塵カバー４４の上方に突出する光学ヘッド５１ａの先端部が通過可能な高さに設定されている。
【００５８】
かくして、光ピックアップ装置４３の使用時、光ピックアップ５１はピックアップ移動機構５２の駆動によって第１の開口部６３内に位置される。このとき、光ピックアップ５１の対物レンズ５０が光ディスクの情報記録面に対向され、その情報記録面に対する情報信号の記録及び再生が可能となる。一方、光ピックアップ装置４３の不使用時には、ピックアップ移動機構５２の駆動によって光ピックアップ５１が光ディスクの半径方向外側に移動され、第２の開口部６４を通過して膨出部６０内に収納される。
【００５９】
このように光ピックアップ５１が膨出部６０内に収納されると、光学ヘッド５１ａの対物レンズ５０が防塵カバー４４の上面で覆われるため、ホルダ収納部１６等からハウジング２の内部に入り込む埃や塵等が対物レンズ５０に付着されるのを防止することができる。しかも、この場合には、防塵カバー４４の一部が防塵部材となっているため、従来例で述べたような別部材としてのカバー部材を必要としないため、この防塵構造によるコストアップを生ずることがなく、安価であって防塵効果の高い防塵機構を得ることができる。
【００６０】
防塵カバー４４の第１及び第２の開口部６３，６４は、防塵カバー４４の内面に移動可能に取り付けられたシャッタ６５によって開閉自在に構成されている。シャッタ６５は、図６に示すような形状とされていて、第１の開口部６３を開閉する第１の閉じ部６５ａと、第２の開口部６４を開閉する第２の閉じ部６５ｂと、このシャッタ６５を開閉操作するための操作力が入力される入力部６５ｃと、シャッタ６５の移動方向を規制するための規制手段が設けられた規制部６５ｄとを有している。
【００６１】
シャッタ６５の第１の閉じ部６５ａは、第１の開口部６３を完全に閉じることができる大きさ及び形状を有する長方形の部分からなり、その長手方向の一側に第２の閉じ部６５ｂが連続して形成されている。第２の閉じ部６５ｂは、第２の開口部６４を完全に閉じることができる大きさ及び形状を有する長方形の部分からなり、第１の閉じ部６５ａに対して９０度立ち上げるように形成されている。第２の閉じ部６５ｂの第１の閉じ部６５ａと反対側に入力部６５ｃが一体に設けられている。この入力部６５ｃには、第１の閉じ部６５ａ側に延在された長穴６６が設けられている。
【００６２】
また、第１の閉じ部６５ａの幅方向の一側に規制部６５ｄが一体に設けられている。この規制部６５ｄには、幅方向に延在された２本のガイド溝６７が設けられている。２本のガイド溝６７，６７は互いに平行とされていて、これらのガイド溝６７には、防塵カバー４４の内面に設けられたガイドピン６８がそれぞれ２個ずつ摺動可能に挿通される。更に、入力部６５ｃの長穴６６には、作用部となる操作ピン７０が摺動可能に挿入されている。
【００６３】
この操作ピン７０は、くの字状に形成された操作レバー７１の一方のレバー片の先端部に固定されている。操作レバー７１の他方のレバー片の先端部には、入力部となる入力ピン７２が固定されている。この入力ピン７２は、光ピックアップ５１のスレッドモータ５８側に配置されており、スライドベース５３の移動によって押圧される。更に、操作レバー７１の中央部には軸受穴７１ａが設けられている。この軸受穴７１ａには、防塵カバー４４の内面に設けられた枢軸７３が回動自在に挿通されている。この操作レバー７１には、シャッタ６５を常時開放させる方向に付勢する捩りバネ７４が取り付けられている。
【００６４】
図７は、上述したような構成を有するディスク記録再生装置４０の記録及び／又は再生位置にディスクカートリッジ２０を装着した状態を示している。ディスクカートリッジ２０が記録及び／又は再生位置に装着される前の光ピックアップ装置４３の光ピックアップ５１は防塵カバー４４の膨出部６０内に入り込んでいる。そして、防塵カバー４４の第１及び第２の開口部６３，６４は、捩りバネ７４のバネ力に抗して操作レバー７１を回動させるスライドベース５３の押圧力により移動されるシャッタ６５によって閉じられた状態にある。
【００６５】
この状態から、ディスクカートリッジ２０が記録及び／又は再生位置に装着されると、図示しないカートリッジ用シャッタ開放機構によってディスクカートリッジ２０のシャッタ部材２３が動作され、カートリッジ本体２１の開口部２２が開放される。これと同時に又は連動して、ディスク記録再生装置４０の第１及び第２の開口部６３，６４が、光ピックアップ装置４３の駆動によって自動的に開放される。
【００６６】
即ち、ディスクカートリッジ２０が記録及び／又は再生位置に装着されることにより、ピックアップ移動装置５２のスレッドモータ５８が駆動される。これにより、光ピックアップ５１が防塵カバー４４の膨出部６０の側面に設けた第２の開口部６４から出て第１の開口部６３内に入り込む。このとき、スライドベース５３の移動によって入力ピン７２の規制力が解除されるため、捩りバネ７４のバネ力によって操作レバー７１がスライドベース５３の移動量に応じて、図６において、反時計方向に回動される。
【００６７】
その結果、操作レバー７１の操作ピン７０が同様に反時計方向に回動され、シャッタ６５が光ピックアップ５１から離れる方向に移動される。そして、シャッタ６５が所定位置まで移動すると、図４及び図７に示すように、第１及び第２の開口部６３，６４が完全に開放されると共に、光ピックアップ５１の光学ヘッド５１ａが第１の開口部６３内に入り込む。これにより、光学ヘッド５１ａの対物レンズ５０が光ディスク２６の情報記録面に対向され、光ピックアップ５１による情報記録面に対する情報信号の書込み（記録）及び読出し（再生）が可能となる。
【００６８】
一方、光ピックアップ５１による情報信号の記録又は再生が終了し、図示しない操作部或いはリモートコントロール装置の操作等によってディスクカートリッジ２０の排出動作を選択すると、ピックアップ移動装置５２のスレッドモータ５８が駆動され、光ピックアップ５１が第１の開口部６３から第２の開口部６４側に移動する。そして、光ピックアップ５１の光学ヘッド５１ａが第１の開口部６３から第２の開口部６４を経て膨出部６０内に入り込むことにより、防塵カバー４４の第１及び第２の開口部６３，６４を開閉するためのシャッタ６５が閉じられる。
【００６９】
即ち、光ピックアップ５１が光ディスク２６の半径方向外側に移動し、光学ヘッド５１ａが光ディスク２６の外周縁近傍に至ると、スライドベース５３が入力ピン７２に当接し、この入力ピン７２を捩りバネ７４のバネ力に抗して光ディスク２６から離れる方向に移動させる。これにより、操作レバー７１に設けた操作ピン７０が入力ピン７２と同方向に回動され、シャッタ６５が光ピックアップ５１の移動方向と直交する方向であって当該光ピックアップ５１に近づく方向に移動される。
【００７０】
そして、光ピックアップ５１の光学ヘッド５１ａが、防塵カバー４４の膨出部６０の側面に設けた第２の開口部６４を通過して膨出部６０内に完全に入り込むと同時に、又は前後してシャッタ６５が所定位置まで移動し、第１及び第２の開口部６３，６４がシャッタ６５によって完全に閉じられる。この場合、シャッタ６５は、防塵カバー４４の内面に設けられた複数のガイドピン６８が規制部６５ｄの２つのガイド溝６７，６７に摺動自在に係合されているため、光ピックアップ５１の移動方向と直交する方向に容易且つ確実に移動することができる。
【００７１】
このシャッタ６５の移動に連動して、ディスクカートリッジ２０のシャッタ部材２３によってカートリッジ本体２１の開口部２２が完全に閉じられる。このシャッタ部材２３が閉じることにより、ディスクカートリッジ２０の取り出しが可能となる。その結果、記録媒体移動機構３０の作動により、図１に示すように、ディスクカートリッジ２０が記録及び／又は再生位置から装着位置に移動される。この装着位置にカートリッジホルダ１５が移動することにより、カートリッジホルダ１５からのディスクカートリッジ２０の取出操作及びカートリッジホルダ１５に対するディスクカートリッジ２０の装着操作が可能となる。
【００７２】
かくして、本実施例のディスク記録再生装置４０によれば、ディスクカートリッジ２０を装着する前は、光ピックアップ装置４３の光ピックアップ５１（特に光学ヘッド５１ａ）が防塵カバー４４の膨出部６０内に収納されており、第１及び第２の開口部６３，６４がシャッタ６５によって完全に閉じられているため、外部の埃や塵等が内部に入り込むのを防ぐことができ、その埃や塵等が対物レンズ５０に付着するのを防止又は抑制することができる。
【００７３】
更に、第１の開口部６３に連通された第２の開口部６４を膨出部６０の側面部に設けたことにより、光ピックアップ５１を横方向へ移動するだけで光学ヘッド５１ａを、ディスクカートリッジ２０のカートリッジ本体２１から逃がすことができる。そのため、光ディスク２６の情報記録面と垂直をなす方向に光ピックアップ５１を移動させることなく水平方向の移動のみで、光学ヘッド５１ａの対物レンズ５０を情報記録面に対して可及的に近接させて配設させることができる。従って、対物レンズ５０を情報記録面に対して接近及び離反させるための機構を必要としないことから、高密度記録するための光ピックアップ装置の構造を簡単なものとすることができる。
【００７４】
図８Ａ，Ｂは、ディスク記録再生装置４０に設けたクリーニング手段の第１の実施例を示すものである。この第１の実施例として示すクリーニング手段は、防塵カバー４４に取り付けられたブラシ８０と、光ピックアップ５１を水平方向に往復移動させる水平移動機構とによって構成したものである。ブラシ８０は、対物レンズ５０の表面を払拭するもので、多数の毛状体８０ａと、この毛状体８０ａを固定する固定台８０ｂとを有している。毛状体８０ａは、中央部の丈が周縁部の丈よりも長く設定されており、表面が球面をなす対物レンズ５０の表面を満遍なく払拭できるように考慮されている。
【００７５】
このブラシ８０は、固定台８０ｂを防塵カバー４４の内面に固定することによって取り付けられている。このブラシ８０の取付位置は、光ピックアップ５１を膨出部６０内に収納したときの対物レンズ５０に対応する位置である。この収納位置において、水平移動機構が光ピックアップ５１を水平方向に往復移動させることにより、対物レンズ５０の上面を毛状体８０ａで払拭させてクリーニングすることができる。そのための水平移動機構は、ピックアップ移動機構５２によって兼用されている。
【００７６】
即ち、図８Ａ及びＢに示すように、ピックアップ移動機構５２を作動させて光ピックアップ５１を水平方向に往復移動させる。その結果、ブラシ８０の下方において光学ヘッド５１ａが往復移動され、対物レンズ５０の上面が毛状体８０ａによって払拭される。これにより、対物レンズ５０の上面に付着している埃や塵等を払拭してクリーニングすることができる。
【００７７】
図９Ａ，Ｂは、ディスク記録再生装置４０に設けたクリーニング手段の第２の実施例を示すものである。この第２の実施例として示すクリーニング手段は、ブラシ８２、光ピックアップ５１の対物レンズ５０を垂直方向に往復移動させる垂直移動機構とによって構成したものである。ブラシ８２は、ブラシ８０と同様の構成を有しており、多数の毛状体８２ａと固定台８２ｂとから構成されているが、毛状体８２ａは全体の丈が等しく設定されている。これは、毛状体８２ａに対物レンズ５０を押し付ける際に、毛状体８２ａの全体が満遍なく対物レンズ５０に接触されるように考慮したものである。
【００７８】
この実施例では、クリーニング時、光ピックアップ５１はブラシ８２の下方に位置決めされて固定され、その固定状態において、対物レンズ５０部分のみが垂直移動機構によって上下動作される。この垂直移動機構は、対物レンズ５０を上下動作させるための特別な機構を設けてもよいが、例えば、対物レンズ５０を含む二軸アクチュエータのフォーカス用コイルを用い、このフォーカス用コイルを間欠的に逆方向へ励磁させて対物レンズ５０を光軸方向へ移動させる（微量のスレッド動作）構成とすることができる。尚、光ピックアップ５１の所定位置とは別の場所にブラシ８２を設置し、クリーニング時毎に、ブラシ８２の下方に光ピックアップ５１を移動させる構成としても良いことは勿論である。
【００７９】
このようなクリーニング手段をディスク記録再生装置４０に設けることにより、対物レンズ５０に付着した埃や塵等を払拭させて、埃や塵等の付着していない汚れのない対物レンズを用いて情報信号の記録及び再生を行うことができる。従って、対物レンズ５０の汚れによるＰＩ信号の減衰、即ちＲＦ信号の減衰が生じてＣ／Ｎの悪化により信号処理ができなくなるのを防止し又は抑制することができ、ディスク記録再生装置４０の寿命を長くすることができる。
【００８０】
図１０は、防塵カバー４４に設けた第１及び第２の開口部６３，６４を開閉するシャッタ７５を移動させるためのシャッタ移動機構８４の第２の実施例を示すものである。シャッタ７５は、第１の開口部６３を開閉する第１の閉じ部７５ａと、第２の開口部６４を開閉する第２の閉じ部７５ｂと、このシャッタ７５を開閉操作するための操作力が入力される入力部７５ｃと、シャッタ７５の移動方向を規制するための規制手段が設けられた規制部７５ｄとを有している。
【００８１】
シャッタ７５の第１の閉じ部７５ａ、第２の閉じ部７５ｂ及び規制部７５ｄの形状及び構造は、上述した実施例と同一であるため、同一部分には同一符号を付して、これらの説明を省略する。シャッタ７５の入力部７５ｃは、規制部７５ｄの第２の閉じ部７５ｂと反対側に連続するように一体に設けられている。この入力部７５ｃには、ガイド溝６７が延在する方向と直交する方向に延びる長穴７６が設けられている。この長穴７６には、作用部となる操作ピン８５が摺動可能に挿入されている。
【００８２】
操作ピン８５は回動アーム８６の一端に固定されていて、回動アーム８６の他端には従動ギア８７が固定されている。この従動ギア８７と回動アーム８６には、防塵カバー４４の内面に設けられた枢軸７３ａが回動自在に挿通されている。そして、従動ギア８７には駆動ギア８８が噛合されている。駆動ギア８８は、駆動モータ８９の回転軸８９ａに固定されており、駆動モータ８９の駆動によって駆動ギア８８が、時計方向及び反時計方向に選択的に回転される。
【００８３】
例えば、図１０において、駆動モータ８９の回転軸８９ａを時計方向に回転させると、駆動ギア８８を介して従動ギア８７が反時計方向に回転される。その結果、枢軸７３ａを回転中心として回動アーム８６が反時計方向に回動されるため、その先端部に設けた操作ピン８５によってシャッタ７５が第１及び第２の開口部６３，６４を閉じる方向に移動される。そして、回動アーム８６が所定角度を回動すると、第１の閉じ部７５ａによって第１の開口部６３が完全に閉じられ、第２の閉じ部７５ｂによって第２の開口部６４が完全に閉じられる。このとき、操作ピン８５は長穴７６に沿って移動するため、シャッタ７５の移動に妨げとなることがない。
【００８４】
これとは逆に、駆動モータ８９の回転軸８９ａを反時計方向に回転させると、駆動ギア８８を介して従動ギア８７が時計方向に回転される。その結果、枢軸７３ａを回転中心として回動アーム８６が時計方向に回動されるため、その先端部に設けた操作ピン８５によってシャッタ７５が第１及び第２の開口部６３，６４を開く方向に移動される。そして、回動アーム８６が所定角度を回動すると、シャッタ７５が両開口部６３，６４から離れた位置に移動するため、第１及び第２の開口部６３，６４が完全に開放される。
【００８５】
この駆動モータ８９の駆動制御は、光ピックアップ５１の移動に連動させて行うようにするのが好ましい。そして、光ピックアップ５１の位置に応じてシャッタ移動機構８４を駆動制御し、第１及び第２の開口部６３，６４を開閉させるようにする。即ち、光ピックアップ５１の光学ヘッド５１ａが膨出部６０内にあるときには、シャッタ７５によって第１及び第２の開口部６３，６４を完全に閉鎖し、光学ヘッド５１ａを第１の開口部６３に移動させるときにシャッタ７５を移動させて第１及び第２の開口部６３，６４を完全に開放させるようにする。
【００８６】
図１１〜図１３は、本発明のディスク状記録媒体記録及び／又は再生装置の第２の実施例に係るディスク記録再生装置９０を示すものである。このディスク記録再生装置９０は、シャーシ９１と、防塵カバー９２と、カートリッジホルダ９３等を備えて構成されている。シャーシ９１は、上述したシャーシ４１と同様であり、構成において変更がないため、同一部分には同一符号を付して、その説明を省略する。但し、スピンドルモータ４５の回転軸には、後述するシャッタ部材９４を回転自在に支持するようにする。
【００８７】
防塵カバー９２は、上記実施例の防塵カバー４４と略同様の構成を有しているが、膨出部の形状が異なる点である。この防塵カバー９２の膨出部９５は、円柱状の外観形状を有し、内部には円柱状の空間部が設けられている。図１１に示すように、膨出部９５には、同様に第２の開口部６４ａが設けられており、この第２の開口部６４ａは同じく第１の開口部６３ａに連通されている。これら第１の開口部６３ａ及び第２の開口部６４ａがシャッタ部材９４によって開閉される。
【００８８】
シャッタ部材９４は、中央部に設けられ且つスピンドルモータ４５の回転軸が回転自在に挿通される基板部９４ａと、この基板部９４ａから一方に延在された第１の閉じ部９４ｂと、第１の閉じ部９４ｂの先端部に連続する第２の閉じ部９４ｃと、基板部９４ａから第１の閉じ部９４ｂと反対側に延在された操作部９４ｄと、操作部９４ｄの先端部に設けられた入力部９４ｅとを有している。
【００８９】
第１の閉じ部９４ｂは第１の開口部６３ａを完全に閉じるとができる大きさ及び形状を有し、また、第２の閉じ部９４ｃは第２の開口部６４ａを完全に閉じるとができる大きさ及び形状を有している。シャッタ部材９４の入力部９４ｅは、防塵カバー９２の一面から外側に突出されている。そして、カートリッジホルダ９３から加えられる力をよく受けることができるように幅広に形成されている。このシャッタ部材９４は、図示しないスプリングの作用により、第１及び第２の開口部６３ａ，６４ａを閉じる方向に常時付勢されている。
【００９０】
カートリッジホルダ９３は、図１２に示すように、ディスクカートリッジ２０が着脱自在に装着されるカートリッジ収納部１７を有すると共に、シャッタ部材９４を回動操作するためのカム部９６が設けられている。カム部９６は、シャッタ部材９４の入力部９４ｅに対向する面を傾斜させた作用面９６ａを有し、この作用面９６ａから付加される押圧力によってシャッタ部材９４が回動される。
【００９１】
このような構成を有するカートリッジホルダ９３は、上述したカートリッジホルダ１５と同様に、２組で一対をなすリンク機構３０ａ，３０ｂにより、図１３に示すように防塵カバー９２に支持されている。一対のリンク機構３０ａ，３０ｂの構成は略同一であるが、長穴の設定位置が異なっている。即ち、一方の長穴３３ａは固定板３３に設けられ、他方の長穴９３ａはカートリッジホルダ９３に設けられている。そして、固定板３３を複数の止めネジ９７で防塵カバー９２の側面に固定することにより、カートリッジホルダ９３が防塵カバー９２に対して所定範囲内で接近及び離反可能とされている。
【００９２】
この第２の実施例では、カートリッジホルダ９３が防塵カバー９２から離れた装着位置にあるときには、図１２に示すように、図示しないスプリングの作用によってシャッタ部材９４で第１及び第２の開口部６３ａ，６４ａが閉じられている。この状態では、カートリッジホルダ９３のカートリッジ収納部１７に対してディスクカートリッジ２０の挿入が自由であり、また、カートリッジ収納部１７からディスクカートリッジ２０を取り出すことも自由である。
【００９３】
一方、カートリッジホルダ９３を押圧して防塵カバー９２に近付けることにより、カム部９６の作用面９６ａがシャッタ部材９４の入力部９４ｅに当接すると、カム部９６によって入力部９４ｅが押圧される。これにより、図１３に示すように、シャッタ部材９４がスピンドルモータの回転軸を中心として、同図において時計方向に回動される。そして、カートリッジホルダ９３を所定位置まで押圧することにより、シャッタ部材９４が所定位置まで回動され、第１及び第２の開口部６３ａ，６４ａが開かれる。
【００９４】
このシャッタ部材９４の開放動作に連動して光ピックアップ５１が第１の開口部６３ａ内に入り込む。その結果、上記第１の実施例と同様に、光ピックアップ５１による光ディスク２６の情報記録面に対する情報信号の読出し及び書込みが可能となる。このようなディスク記録再生装置９０によっても、上述した実施例と同様の効果を得ることができる。
【００９５】
以上説明したが、本発明は上記実施例に限定されるものではなく、例えば、ディスク状記録媒体記録及び／又は再生装置の例として記録及び再生の双方が可能なディスク記録再生装置に適用した例について説明したが、情報信号の記録を専用としたディスク記録装置、又は情報信号の再生を専用としたディスク再生装置に適用できることは勿論である。このように、本発明は、その趣旨を逸脱しない範囲で種々変更できるものである。
【００９６】
【発明の効果】
以上説明したように、本出願の請求項１記載のディスク状記録媒体記録及び／又は再生装置によれば、カートリッジホルダを有する記録媒体移動機構とシャーシと防塵ケースとを備え、防塵ケースには第１の開口部と膨出部とを設け、膨出部には第１の開口部に連続される第２の開口部を設ける構成としたため、光ピックアップの防塵のために特別な部品を必要とすることがなく、構造が簡単であって光学ヘッドを確実に収納することができ、埃や塵等が対物レンズに付着するのを効果的に防止又は抑制することができる。
【００９７】
更に、第１の開口部に連通された第２の開口部を膨出部の側面部に設けたことにより、光ピックアップを横方向へ移動するだけで光学ヘッドを、ディスクカートリッジのカートリッジ本体から逃がすことができる。そのため、光ディスクの情報記録面と垂直をなす方向に光ピックアップを移動させることなく水平方向の移動のみで、光学ヘッドの対物レンズを情報記録面に対して可及的に近接させて配設させることができる。従って、対物レンズを情報記録面に対して接近及び離反させるための機構を必要としないことから、高密度で記録するための光ピックアップ装置の構造を簡単なものとすることができるという効果を得ることができる。
【００９８】
本出願の請求項２記載のディスク状記録媒体記録及び／又は再生装置によれば、第１及び第２の開口部を開閉するシャッタを設ける構成としたため、シャッタによって第１及び第２の開口部を自由に開閉することができるという効果を得ることができる。
【００９９】
本出願の請求項３記載のディスク状記録媒体記録及び／又は再生装置によれば、光学ヘッドの移動位置に応じてシャッタを開閉する構成としたため、光学ヘッドの使用時にはシャッタを開いて第１及び第２の開口部を開放し、また、光学ヘッドの不使用時にはシャッタを閉じて第１及び第２の開口部を閉塞することができるという効果を得ることができる。
【０１００】
本出願の請求項４記載のディスク状記録媒体記録及び／又は再生装置によれば、光学ヘッドの位置に連動してシャッタを開閉する構成としたため、光学ヘッドを使用位置に移動することによりシャッタを開いて第１及び第２の開口部を開放し、また、光学ヘッドを不使用位置に移動することによりシャッタを閉じて第１及び第２の開口部を閉塞することができるという効果を得ることができる。
【０１０１】
本出願の請求項５記載のディスク状記録媒体記録及び／又は再生装置によれば、第１の検出手段によって光学ヘッドの位置を検出し、その検出結果に基づき第１の駆動手段が駆動してシャッタを開閉する構成としたため、光学ヘッドの位置に応じて第１及び第２の開口部を開閉することができるという効果を得ることができる。
【０１０２】
本出願の請求項６記載のディスク状記録媒体記録及び／又は再生装置によれば、カートリッジホルダの移動位置に応じてシャッタを開閉する構成としたため、カートリッジホルダが装着位置にあるときにはシャッタを閉じて第１及び第２の開口部を閉塞し、また、カートリッジホルダが記録及び／又は再生位置にあるときにはシャッタを開いて第１及び第２の開口部を開放することができるという効果を得ることができる。
【０１０３】
本出願の請求項７記載のディスク状記録媒体記録及び／又は再生装置によれば、カートリッジホルダの位置に連動してシャッタを開閉する構成としたため、カートリッジホルダを装着位置に移動することによりシャッタを閉じて第１及び第２の開口部を閉塞し、また、カートリッジホルダを記録及び／又は再生位置に移動することによりシャッタを開いて第１及び第２の開口部を開放することができるという効果を得ることができる。
【０１０４】
本出願の請求項８記載のディスク状記録媒体記録及び／又は再生装置によれば、第２の検出手段によってカートリッジホルダの位置を検出し、その検出結果に基づき第２の駆動手段を駆動してシャッタを開閉する構成としたため、カートリッジホルダの位置に応じて第１及び第２の開口部を開閉することができるという効果を得ることができる。
【０１０５】
本出願の請求項９記載のディスク状記録媒体記録及び／又は再生装置によれば、対物レンズをクリーニングするクリーニング手段を設ける構成としたため、光学ヘッドを投影面の内側から外側の所定位置に移動することにより、対物レンズをクリーニング手段に接触させて自動的にクリーニングすることができるという効果を得ることができる。
【０１０６】
本出願の請求項１０記載のディスク状記録媒体記録及び／又は再生装置によれば、光学ヘッドを投影面の内側から外側の所定位置に移動することにより、クリーニング用のブラシが対物レンズに接触するため、対物レンズを自動的にクリーニングすることができるという効果を得ることができる。
【０１０７】
本出願の請求項１１記載のディスク状記録媒体記録及び／又は再生装置によれば、光学ヘッドが投影面の外側の所定位置にあるときには、昇降動作機構の作動により光学ヘッドが上昇して対物レンズがクリーニング用のブラシに接触するため、対物レンズを自動的にクリーニングすることができるという効果を得ることができる。
【０１０８】
本出願の請求項１２記載のディスク状記録媒体記録及び／又は再生装置によれば、光学ヘッドが投影面の外側の所定位置にあるときには、往復動作機構の作動により光学ヘッドを上昇すると共に横移動して対物レンズをクリーニング用のブラシに接触させるため、対物レンズを自動的にクリーニングすることができるという効果を得ることができる。
【図面の簡単な説明】
【図１】本発明のディスク状記録媒体記録及び／又は再生装置が適用された電子機器の一実施例を示すビデオカメラレコーダーの斜視図である。
【図２】本発明のディスク状記録媒体記録及び／又は再生装置に適用されるディスク状記録媒体が収納されたディスクカートリッジの一実施例を示すもので、同図Ａは上面側から見た斜視図、同図Ｂは下面側から見た斜視図である。
【図３】図１に示すビデオカメラレコーダーの要部を分解して拡大して示す斜視図である。
【図４】本発明のディスク状記録媒体記録及び／又は再生装置の第１の実施例を示す斜視図である。
【図５】図４に示すディスク状記録媒体記録及び／又は再生装置を分解して示すもので、同図Ａは防塵カバーの斜視図、同図Ｂはシャーシの斜視図である。
【図６】図４に示すディスク状記録媒体記録及び／又は再生装置のシャッタの動作を説明するための斜視図である。
【図７】図４に示すディスク状記録媒体記録及び／又は再生装置の要部を拡大して断面した説明図である。
【図８】本発明のディスク状記録媒体記録及び／又は再生装置のクリーニング手段の第１の実施例を示すもので、同図Ａはブラシの手前に光ピックアップがある状態、同図Ｂはブラシの奥に光ピックアップがある状態を、それぞれ断面して示す説明図である。
【図９】本発明のディスク状記録媒体記録及び／又は再生装置のクリーニング手段の第２の実施例を示すもので、同図Ａは対物レンズが後退した状態、同図Ｂは対物レンズが突出した状態を、それぞれ断面して示す説明図である。
【図１０】本発明のディスク状記録媒体記録及び／又は再生装置のシャッタ駆動機構の第２の実施例を示す斜視図である。
【図１１】本発明のディスク状記録媒体記録及び／又は再生装置の第２の実施例を示す斜視図である。
【図１２】図１１に示す第２の実施例に係るディスク状記録媒体記録及び／又は再生装置の分解斜視図である。
【図１３】図１１に示す第２の実施例に係るディスク状記録媒体記録及び／又は再生装置の組立斜視図である。
【符号の説明】
１５，９３　カートリッジホルダ、　１７　カートリッジ収納部、　２０　ディスクカートリッジ、　２６　光ディスク（ディスク状記録媒体）、　３０　記録媒体移動機構、　３０ａ，３０ｂ　リンク機構、　４０，９０　ディスク記録再生装置（ディスク状記録媒体記録及び／又は再生装置）、　４１，９１　シャーシ、　４２　ディスク回転装置、　４３　光ピックアップ装置、　４４，９２防塵カバー、　４５　スピンドルモータ、　４６　ターンテーブル、　５０　対物レンズ、　５１　光ピックアップ、　５１ａ　光学ヘッド、　５２　ピックアップ移動機構、　６０，９５　膨出部、　６３，６３ａ　第１の開口部、　６４，６４ａ　第２の開口部、　６５，７５　シャッタ、　６５ａ，７５ａ，９４ｂ　第１の閉じ部、　６５ｂ，７５ｂ，９４ｃ　第２の閉じ部、　８０，８２　ブラシ、　８４　シャッタ駆動機構、　９４　シャッタ部材、　９６　カム部
【図１】
2004030802.tif 000003
【図２】
2004030802.tif 000004
【図３】
2004030802.tif 000005
【図４】
2004030802.tif 000006
【図５】
2004030802.tif 000007
【図６】
2004030802.tif 000008
【図７】
2004030802.tif 000009
【図８】
2004030802.tif 000010
【図９】
2004030802.tif 000011
【図１０】
2004030802.tif 000012
【図１１】
2004030802.tif 000013
【図１２】
2004030802.tif 000014
【図１３】
2004030802.tif 000015